(57)【特許請求の範囲】
【請求項１】
レギュレータ制御電圧入力を有し、入力電圧を受信するように、そして、前記レギュレータ制御電圧入力に適用された第１の信号に依存している出力電圧を生成するように構成されるスイッチングレギュレータと、；
前記スイッチングレギュレータに結合された、そして、前記出力電圧を受信し時変の動作電圧を生成するように構成されたリニアレギュレータと；
前記リニアレギュレータに結合された、そして、前記時変の動作電圧によって制御されるＲＦ出力電力を有するＲＦ出力信号を生成するように構成された、電力増幅器と；
動作温度のインジケーションを決定するように構成された温度感知デバイスと；
前記入力電圧を受信するように、また、前記入力電圧のデジタル表示を決定するように、構成されたアナログ／デジタルコンバータと；
前記入力電圧と前記動作温度にしたがって、前記ＲＦ出力電力に対する電圧リプルの影響を抑制するための１セットの調整値を保存しているルックアップテーブルと；
前記ＲＦ出力信号に含まれる、不要な相互変調積のサイズを測定する検出器と；
前記入力電圧の前記デジタル表示と前記動作温度の前記インジケーションを受信するように構成された、前記入力電圧に基づいて前記第１の信号を決定するように構成され、また、前記サイズに基づいて、前記第１の信号を決定するように構成された、制御モジュールと、
を備えるユーザ機器。
【請求項２】
前記入力電圧を生成するように構成されたバッテリー、をさらに備える請求項１に記載のユーザ機器。
【請求項３】
前記ルックアップテーブルは、多次元アレイである、請求項１に記載のユーザ機器。
【請求項４】
前記ルックアップテーブルは、少なくとも２つの単一エントリアレイを備え、第１の単一エントリアレイは１セットの前記動作温度の範囲にしたがってインデクス付けされ、第２の単一エントリアレイは１セットの前記入力電圧の範囲にしたがってインデクス付けされる、請求項１に記載のユーザ機器。
【請求項５】
バッテリー電圧を決定することと；
動作温度を決定することと；
通常の動作の間に、前記バッテリー電圧と前記動作温度とに基づいて電圧レギュレータ制御設定を決定するために、ルックアップテーブルを参照することと；
非線形電力供給装置に対して、前記非線形電力供給装置の出力電圧を調整して、前記出力電圧に対する電圧リプルの影響を抑制するための前記電圧レギュレータ制御設定を提供することと；
可変のポストレギュレータに対して前記出力電圧を提供することと；
電力増幅器に対して、前記可変のポストレギュレータによって生成された時変の動作電圧を提供することと；
前記電力増幅器によって生成されたＲＦ出力信号に含まれる、不要な相互変調積のサイズを測定することと；
前記非線形電力供給装置に対して、前記サイズに基づく第２の更新された電圧レギュレータ制御設定を提供することと；
を備える電力供給管理の方法。
【請求項６】
更新された望ましいＲＦ出力電力のインジケーションを受信することと、
前記更新された望ましいＲＦ出力電力に基づいて、更新された電圧レギュレータ制御設定を決定するために、前記ルックアップテーブルを参照することと、
をさらに備える請求項５に記載の電力供給管理の方法。
【請求項７】
前記電力増幅器の望ましいＲＦ出力電力に基づいて前記可変のポストレギュレータの出力を調整すること、をさらに備える請求項５に記載の電力供給管理の方法。
【請求項８】
受信された干渉の電力レベルを測定することと、
前記電力レベルに基づいて、第２の更新された電圧レギュレータ制御設定を決定することと、
をさらに備える請求項５に記載の電力供給管理の方法。
【請求項９】
第２の回路の状態をモニタすることと、
前記状態に基づいて、第２の更新された電圧レギュレータ制御設定を決定することと、
をさらに備える請求項５に記載の電力供給管理の方法。
【請求項１０】
バッテリー電圧を決定するための手段と；
動作温度を決定するための手段と；
通常の動作の間に、前記バッテリー電圧と前記動作温度とに基づいて電圧レギュレータ制御設定を決定するために、ルックアップテーブルを参照するための手段と；
非線形電力供給装置に対して、前記非線形電力供給装置の出力電圧を調整して、前記出力電圧に対する電圧リプルの影響を抑制するための前記電圧レギュレータ制御設定を提供するための手段と；
可変のポストレギュレータに対して前記出力電圧を提供するための手段と；
電力増幅器に対して、前記可変のポストレギュレータによって生成された時変の動作電圧を提供するための手段と；
前記電力増幅器によって生成されたＲＦ出力信号に含まれる、不要な相互変調積のサイズを測定するための手段と；
前記非線形電力供給装置に対して、前記サイズに基づく第２の更新された電圧レギュレータ制御設定を提供するための手段と；
を備える１セットの電子回路の効率および性能を制御するデバイス。
【請求項１１】
更新された望ましいＲＦ出力電力のインジケーションを受信するための手段と、
前記更新された望ましいＲＦ出力電力に基づいて、更新された電圧レギュレータ制御設定を決定するために、前記ルックアップテーブルを参照するための手段と、
を備える請求項１０に記載の１セットの電子回路の効率および性能を制御するデバイス。
【請求項１２】
電力増幅器の望ましいＲＦ出力電力に基づいて前記可変のポストレギュレータの出力を調整するための手段、を備える請求項１０に記載の１セットの電子回路の効率および性能を制御するデバイス。
【請求項１３】
受信された干渉の電力レベルを測定することと、
前記電力レベルに基づいて、第２の更新された電圧レギュレータ制御設定を決定することと、
を備える請求項１０に記載の１セットの電子回路の効率および性能を制御するデバイス。
【請求項１４】
第２の回路の状態をモニタするための手段と、
前記状態に基づいて、第２の更新された電圧レギュレータ制御設定を決定するための手段と、
をさらに備える請求項１０に記載の１セットの電子回路の効率および性能を制御するデバイス。
【請求項１５】
無線通信デバイスにおいて実施されるときに前記デバイスの効率および性能の制御を前記デバイスに提供させるコンピュータ可読命令、を備えるコンピュータ可読記憶媒体であって、実施の際には、前記命令は、前記デバイスに、
バッテリー電圧を決定させ；
動作温度を決定させ；
通常の動作の間に、前記バッテリー電圧と前記動作温度とに基づいて電圧レギュレータ制御設定を決定するために、ルックアップテーブルを参照させ；
非線形電力供給装置に対して、前記非線形電力供給装置の出力電圧を調整して、前記出力電圧に対する電圧リプルの影響を抑制するための前記電圧レギュレータ制御設定を提供させ；
可変のポストレギュレータに対して前記出力電圧を提供させる；
電力増幅器に対して、前記可変のポストレギュレータによって生成された時変の動作電圧を提供させる；
前記電力増幅器によって生成されたＲＦ出力信号に含まれる、不要な相互変調積のサイズを測定させる；
前記非線形電力供給装置に対して、前記サイズに基づく第２の更新された電圧レギュレータ制御設定を提供させる；
コンピュータ可読記憶媒体。
【請求項１６】
実施の際には、前記命令は、さらに、前記デバイスに、
更新された望ましいＲＦ出力電力のインジケーションを受信させ、
前記更新された望ましいＲＦ出力電力に基づいて、更新された電圧レギュレータ制御設定を決定するために、前記ルックアップテーブルを参照させる、
請求項１５に記載のコンピュータ可読記憶媒体。
【請求項１７】
実施の際には、前記命令は、前記デバイスに、さらに、電力増幅器の望ましいＲＦ出力電力に基づいて前記可変のポストレギュレータの出力を調整させる、請求項１５に記載のコンピュータ可読記憶媒体。
【請求項１８】
実施の際には、前記命令は、さらに、前記デバイスに、
受信された干渉の電力レベルを測定させ、
前記電力レベルに基づいて、第２の更新された電圧レギュレータ制御設定を決定させる、
請求項１５に記載のコンピュータ可読記憶媒体。
【請求項１９】
実施の際には、前記命令は、さらに、前記デバイスに、
第２の回路の状態をモニタさせ、
前記状態に基づいて、第２の更新された電圧レギュレータ制御設定を決定させる、
請求項１５に記載のコンピュータ可読記憶媒体。
【発明の詳細な説明】
【技術分野】
【０００１】
本発明は、一般的には電力供給システムに関し、より具体的には、ＤＣ電力供給管理に関する。
【背景技術】
【０００２】
ほとんどのバッテリー電力供給型デバイス(battery powered devices)は、未処理のバッテリー出力電圧を、デバイスにおけるアクティブコンポーネントのためのよりクリーンでより安定した電力ソースへと変換するために、電力供給管理を使用する。電力供給管理は、しばしば、ＤＣ/ＤＣコンバータを使用してインプリメントされ、ＤＣ/ＤＣコンバータと呼ばれる理由は、それらが直流電圧を供給も生成もするからである。
【０００３】
ある一般的に使用されるＤＣ/ＤＣコンバータは、リニアレギュレータ(linear regulator)である。リニアレギュレータは、線形領域で動作するトランジスタを含んでいる。リニアレギュレータは非常にクリーンな出力電圧を生む。しかしながら、リニアレギュレータは、過分な電力を熱として放散させることによって、望ましい出力電圧を維持する。したがって、それらは、熱管理が困難である小さいパッケージへと統合させるのには非効率であり、且つ、課題である。
【０００４】
別の一般的に使用されるＤＣ/ＤＣコンバータは、切り替えモードの電力供給装置(switched-mode power supply)(ＳＭＰＳ)である。ＳＭＰＳは、可変デューティサイクルで、飽和(フルオン)およびカットオフ(完全にオフ)との間で電力トランジスタを速やかに切り替える、スイッチングレギュレータ(switching regulator)を組み込む。結果として生じる方形波(rectangular waveform)は、デューティサイクルの平均値に比例してほぼ一定の出力電圧を生成するために、ローパスフィルタリングされる。ＳＭＰＳの１つの利点は、飽和状態またはカットオフ状態のいずれかにおいて、スイッチングトランジスタは少ない電力を熱として放散させるので、リニアレギュレータよりも高い効率を有するということである。しかしながら、大幅なフィルタリングをした後でさえも、ＳＭＰＳは、電圧リプル(voltage ripple)と呼ばれる、振幅の大きい高い周波数成分を含む出力電圧を生成する。ＳＭＰＳの別の利点は、電圧をステップアップすることができるということであり、それは、ＳＭＰＳが入力電圧の電圧レベルよりも高い出力電圧を提供することができるということを意味する。例えば、ＳＭＰＳへの入力において、バッテリーは、おおよそ３ボルトを提供することができ、ＳＭＰＳは５ボルトの出力を提供する。
【０００５】
高い周波数出力信号を生成する無線デバイスでは、リプル電圧は、望ましくないサイドバンドスプールを引き起こす無線周波数(ＲＦ)出力信号を変調することができる。十分に大きい場合には、サイドバンドスプールは、無線システムの性能を低減させ、且つ、無線デバイスに米国連邦通信委員会(ＵＳＦＣＣ)のような運営組織によって設定されたエミッション規制を違反させる。
【発明の概要】
【０００６】
ここで説明されるのは、時間とともに値を変更するバッテリー入力電圧を受信するユーザ機器デバイスである。デバイスはまた、レギュレータ制御電圧入力を有するバッテリーに結合されたスイッチングレギュレータを有する。スイッチングレギュレータは、入力電圧を受信するように、そして、レギュレータ制御電圧入力に対して適用された第１の信号に依存する出力電圧を生成するように、構成される。デバイスはまた、リニアレギュレータを有し、例えば、スイッチングレギュレータに結合された、そして、出力電圧を受信し時変の動作電圧(time-varying operating voltage)を生成するように構成されたロードロップアウトレギュレータ(low drop out regulator)を有する。デバイスはまた、ロードロップアウトレギュレータに結合された、そして、時変の動作電圧によって制御されたＲＦ出力電力を有するＲＦ出力信号を生成するように構成された、電力増幅器を有する。デバイスはまた、温度センサを有し、例えば、動作温度のインジケーションを決定するように構成されたサーミスタを有する。デバイスはまた、バッテリーに結合された、そして、入力電圧のデジタル表示を決定するように構成された、アナログ/デジタルコンバータを有する。デバイスはまた、入力電圧と動作温度にしたがって、１セットの調整値を保存しているルックアップテーブルを有する。デバイスはまた、入力電圧のデジタル表示と動作温度のインジケーションとを受信するように構成された制御モジュールを有する。制御モジュールは、入力電圧に基づいて第1の信号を決定し、動作温度と１セットの調整値は、ルックアップテーブルにおいて保存される。
【０００７】
いくつかの実施形態では、ルックアップテーブルは、多次元アレイであるが、他の実施形態では、それは、１つまたは複数の単一エントリアレイ(single entry arrays)を有する。例えば、第１の単一エントリアレイは、１セットの動作温度の範囲(a set of ranges of the operating temperature)にしたがって、インデクス付けされることができる。第２の単一エントリアレイは、１セットの入力電圧の範囲にしたがって、インデクス付けされることができる。
【０００８】
また、ここでは、電力供給管理の方法が説明される。該方法にしたがって、制御モジュールは、未処理のバッテリー電圧と動作温度を決定する。それは、通常の動作の間に、バッテリー電圧と動作温度とに基づいて電圧レギュレータ制御設定を決定するために、ルックアップテーブルを参照する。それは、非線形電力供給装置(non-linear power supply)に対して電圧レギュレータ制御設定を提供する。電圧レギュレータ制御設定は、非線形電力供給装置の出力電圧を調整する。制御モジュールは、可変のポストレギュレータに対して出力電圧を提供する。いくつかの場合において、該方法は、先ほど説明された機能を実行するための１セットの手段を用いて実行される。いくつかの場合において、コンピュータ可読媒体は、無線通信デバイスにおいて実施されるときに先ほど説明された機能をデバイスに実行させるコンピュータ可読命令、を備えることができる。
【０００９】
いくつかの実施形態では、制御モジュールは、更新された望ましいＲＦ出力電力のインジケーションを受信することができ、また、更新された望ましいＲＦ出力電力に基づいて、更新された電圧レギュレータ制御設定を決定するために、ルックアップテーブルを参照することができる。デバイスにおける制御モジュールまたは別のコンポーネントは、電力増幅器の望ましいＲＦ出力電力に基づいて、可変のポストレギュレータの出力を調整することができる。電力検出器は、不要な相互変調積(unwanted intermodulation product)のサイズを測定するために使用されることができ、制御モジュールは、不要な相互変調積のサイズに基づいて、第２の更新された電圧レギュレータ制御設定を決定することができる。デバイスにおけるコンポーネントは、受信された干渉の電力レベルを測定し、その電力レベルに基づいて、第２の更新された電圧レギュレータを決定することができる。第２の回路の状態はまた、モニタされることができ、第２の更新された電圧レギュレータ制御設定は、該状態に基づいて決定されることができる。いくつかの場合において、該方法は、先ほど説明された機能を実行するための1セットの手段を用いて実行される。いくつかの場合において、コンピュータ可読媒体は、無線通信デバイスにおいて実施されるときに先ほど説明された機能をデバイスに実行させるコンピュータ可読命令、を備えることができる。
【図面の簡単な説明】
【００１０】
【図１】図１は、複数の基地局と複数のユーザ機器デバイスを備えた無線通信システムを図示する。
【図２】図２は、電力増幅モジュールを駆動している切り替えモードの電力供給装置（ＳＭＰＳ）を含んでいるユーザ機器デバイスの一部分を示す簡略ブロック図である。
【図３】図３は、説明のための、電力増幅器によって生成されたＲＦ出力信号Ｐｏｕｔの周波数ドメインの図示を示す。
【図４】図４は、許容レベルで出力スペクトル純度を維持しながら、温度の範囲、ＲＦ出力電力、バッテリー電圧、および同様なものに対する効率的な動作を容易にする、レギュレータ制御電圧の使用を図示する例示的なフローチャートである。
【詳細な説明】
【００１１】
図１は、複数の基地局１１０と複数のユーザ機器デバイス（ＵＥ）１２０を備えた無線通信システム１００を図示する。基地局は、一般的には、カバレッジエリア１０２ａ、１０２ｂ、および１０２ｃのような、そのカバレッジエリア内でＵＥと通信する固定置の局である。システムキャパシティを改善するために、基地局のカバレッジエリアは、図１に示されるようなカバレッジエリア１０２ａのセクタ１０４ａ、１０４ｂ、および１０４ｃのような複数の小さいエリアへと分割されることができる。
【００１２】
基地局は、しばしば、基地局トランシーバサブシステム（ＢＴＳ）またはアクセスポイントと呼ばれ、一般的に、いずれの無線ネットワークエントリポイントであり得る。同様に、ＵＥは固定(fixed)、非固定(nomadic)またはモバイル(mobile)であってもよい。ＵＥは、しばしば、加入者システム、加入者ユニット、モバイル局、モバイル、遠隔局、遠隔端末、アクセス端末、ユーザ端末、ユーザエージェント、ユーザデバイスまたは加入者宅内機器(customer premise equipment)と呼ばれる。ユーザ機器は、セルラ電話、コードレス電話、セッションイニシエーションプロトコル（ＳＩＰ）電話、無線ローカルループ（ＷＬＬ）局、携帯情報端末（ＰＤＡ）、ハンドヘルドデバイス、ゲーミング端末、無線モデムカードまたはドングル、または、無線通信システムと接続するために使用される他の処理デバイス、の形をとることができる。ＵＥ１２０は、基地局１１０からＵＥ１２０へのダウンリンク１２８（または順方向リンク）、および、ＵＥ１２０から基地局１１０へのアップリンク１３０（または逆方向リンク）上で、基地局１１０との双方向通信リンクを確立することができる。
【００１３】
図１で図示されるように、ＵＥ１２０は、一般的に、マイクロフォン、タッチスクリーン、キーパッド、および同様なもののようなユーザ入力のためのコンポーネントを有する。それらはまた、一般的に、ディスプレイ、スピーカー、および同様なもののようなユーザ出力コンポーネントを有する。
【００１４】
図２は、電力増幅モジュールを駆動している切り替えモードの電力供給装置（ＳＭＰＳ）を含むユーザ機器デバイス２００を図示する簡略ブロック図である。このような回路は、しばしば、例えば図１で示されているもののような無線ユーザ機器デバイスの送信部で使用される。下記の例および説明では、バッテリーによって電力供給される無線ユーザ機器デバイスにおいて具現化されたシステムを説明する。しかしながら、システムは、効率的なＤＣ動作および縮小された電圧リプルが有益である多くのデバイスにおいて適用性を有する。
【００１５】
図２では、ＳＭＰＳ２１２は、ＤＣ／ＤＣ変換を提供する。ＳＭＰＳは、バッテリー２０８から未処理のバッテリー入力電圧Ｖｉｎを受信し、変換された電圧出力を生成し、その値は、制御電圧Ｖｃｏｎによって制御される。例えば、ＳＭＰＳ２１２は、可変デューティサイクルで、飽和（フルオン）およびカットオフ（完全にオフ）との間で電力トランジスタを速やかに切り替える、スイッチングレギュレータを組み込むことができる。結果として生じる方形波は、デューティサイクルの平均値に比例してほぼ一定の出力電圧を生成するために、ローパスフィルタリングされる。変換された電圧出力は、ローパスフィルタ２１６によってローパスフィルタリングされる。ローパスフィルタ２１６の出力は、ＳＭＰＳ出力電圧Ｖｏｕｔである。
【００１６】
ＳＭＰＳ２１２の切り替え性質に起因して、ＳＭＰＳ出力電圧Ｖｏｕｔは、望ましくないリプル電圧を含み、一般的には、ＳＭＰＳ２１２が動作する切り替え周波数で最も優勢である(most predominate)電圧を含む。ローパスフィルタ２１６は、電圧リプルの何らかの平滑さを提供するものの、ローパスフィルタ２１６は、電圧リプルを完全に除去しない。ＳＭＰＳ２１２の出力における電圧リプルの量は、追加フィルタリング(additional filtering)を使用することを通じて縮小されることができる。しかしながら、このような追加フィルタリングは、より高品質でよりコストがかかるコンポーネント、そしてより複雑な設計を必要とするだけではなく、より大きな物理サイズを犠牲にして成り立つ。さらに、追加フィルタリングは、過渡性能(transient performance)(例えば、電力がＶｉｎに対して適用されるときと、ＳＭＰＳ出力電圧Ｖｏｕｔが使用可能な値に達するまでの間のタイムラグ）を低下させ、そしてそれは、代わりに、デバイスの平均電力消費を増大させる。
【００１７】
ＳＭＰＳ出力電圧Ｖｏｕｔは、電力増幅器モジュール２１４に結合される。電力増幅器モジュール２１４は、電力増幅器（ＰＡ）２１８だけではなく、集積されたリニアの、ロードロップアウト電圧レギュレータ(ＬＤＯ)(an integrated linear, low drop out voltage regulator)２２０も含む。ＬＤＯ２２０は、ＳＭＰＳ出力電圧Ｖｏｕｔを受信し、電力増幅器２１８に対して適用される時変の動作電圧Ｖｃｃを生成する。一態様では、ＳＭＰＳ２１２は、１つまたは複数の追加リニアギュレータあるいはノンリニアレギュレータを駆動する。
【００１８】
ＬＤＯは、特殊タイプのリニアレギュレータである。リニアレギュレータのドロップアウト電圧は、望ましい電圧値を出力するために使用されることができる最低入力電圧を決定する。例えば、ＬＤＯがおよそ７００ミリボルトのドロップアウト電圧を有する場合、３．３ボルトの出力電圧は少なくとも４ボルトの入力電圧を必要とする。約１ボルト未満のドロップアウト電圧を有するデバイスはいずれも、ＬＤＯとみなされることができる。
【００１９】
電力増幅器２１８は低い電力ＲＦ信号ＲＦｉｎを受信し、対応する高い電力ＲＦ出力信号Ｐｏｕｔを生成する。ＲＦ出力信号Ｐｏｕｔは、一般的には、アンテナに結合され（図示されず）、おそらく、１つまたは複数の受動素子を通じて結合される。ＬＤＯ２２０は、リプル電圧と電力増幅器２１８との間でさらなる分離(isolation)を提供する。しかしながら、さらなる分離を行なったとしても、リプル電圧のうちのいくつかは、ＬＤＯ２２０を通じて通過し、動作電圧Ｖｃｃ上で存在する。
【００２０】
アナログ電力制御電圧Ｖａｐｃは、動作電圧Ｖｃｃの電圧レベルを制御する。代わりに、動作電圧Ｖｃｃにおける変動は、ＲＦ出力信号Ｐｏｕｔの電力を調整する。ＬＤＯレギュレータと直列にＳＭＰＳを使用しているため、ＬＤＯ２２０はポストレギュレータ(post regulator)と呼ばれる。動作電圧Ｖｃｃは通常動作の間に変動するので、ＬＤＯ２２０は、可変のポストレギュレーション(variable post-regulation)を提供すると考えられている。
【００２１】
多くの無線環境では、アップリンク１３０上で送信された電力は、ＵＥ１２０が基地局１１０から離れるとき、そして、アップリンク１３０上のデータレートが増大されるとき、増大する。そのため、ＵＥが使用されるとき、ＲＦ出力信号Ｐｏｕｔの電力レベルは時間とともに変わる。
【００２２】
動作電圧ＶｃｃがＲＦ出力信号Ｐｏｕｔの電力レベルを調整するのと同じ方法で、動作電圧Ｖｃｃ上のいずれのリプルは、さらに、ＲＦ出力信号Ｐｏｕｔの電力レベルに影響を与える。したがって、動作電圧Ｖｃｃ上のリプル電圧は、ＲＦ出力信号Ｐｏｕｔの振幅変調（ＡＭ）を引き起こす。
【００２３】
いくつかの態様では、ＰＡ２１８は、ＲＦ出力信号Ｐｏｕｔの電力レベルに影響を与えるＶｃｃ以外の利得制御入力を有することができる。このような態様においては、Ｖｃｃを制御するのにいまだに有利である。一般的に、電力増幅器は非線形である。非線形増幅器では、増幅器の効率はＶｃｃによって決まる。Ｖｃｃ上のより高い電圧は、所与のＲＦ出力電力に対してより低い効率を結果としてもたらす。しかしながら、Ｖｃｃの電圧を増加させることはまた、増幅器の線形性を増大させる。したがって、Ｖｃｃの電圧レベルは、出力スペクトラムの純度に影響を与える。故に、代替の電力制御メカニズムがＲＦ出力電力をフルにまたは部分的に制御するために使用されるときでさえも、過剰に非効率ではないが適切なスペクトラム純度を提供するレベルにＶｃｃを保つのに有利である。
【００２４】
図３は、説明のための、電力増幅器２１８によって生成されたＲＦ出力信号Ｐｏｕｔの周波数ドメインの図示を示す。図３では、横軸は、周波数を表し、縦軸は、電力を表す。望ましい信号３１０は、おおよそキャリア周波数の中心に置かれ、低い電力ＲＦ信号ＲＦｉｎの増幅されたバージョンである。図３はまた、リプル電圧によって生成された不要周波数成分３２０を図示する。一般的に、周波数成分３２０は、望ましい信号のキャリア周波数より上または下に生成され、ＳＭＰＳ２１２によって使用される切り替え周波数によってオフセットされる。システム性能を低減させることに加え、それらが大きく得すぎる場合には、不要周波数成分３２０は、望ましい周波数帯外のエミッションに対する行政規制の設定制限に違反する場合がある。
【００２５】
ＬＤＯ２２０は、ＳＭＰＳ出力電圧Ｖｏｕｔが動作電圧Ｖｃｃに値において非常に近いとき、最も効率的に機能する。しかしながら、ＬＤＯ２２０によって提供される分離は、ＳＭＰＳ出力電圧Ｖｏｕｔが動作電圧Ｖｃｃに近づくとき、縮小する。したがって、ＳＭＰＳ出力電圧Ｖｏｕｔおよび制御電圧Ｖｃｏｎの相対値は、動作効率だけではなく、不要周波数成分の振幅にも影響を与える。
【００２６】
一般的に、成分の性能は、温度にわたって、大いに変化する。例えば、ＬＤＯ２２０は、温度が上がると、より少ない分離を提供することができる。
【００２７】
同様に、ＳＭＰＳ出力電圧Ｖｏｕｔ上のリプル電圧は、未処理のバッテリー電圧Ｖｉｎの値が変わるとき、変化する。未処理のバッテリー電圧Ｖｉｎは、充電サイクルのコースにわたって、そして、負荷、温度、および同様なものに基づいて、大いに変化することができる。したがって、様々な電圧レベルと動作温度をあわせると、不要な相互変調積の振幅に大いに影響を与えることができる。
【００２８】
したがって、図２で図示される実施形態では、制御モジュール２２４は、様々な動作条件に対して不要周波数成分の受容レベルと効率的な動作を提供するために、制御電圧Ｖｃｏｎの値を制御する。制御モジュール２２４は、バッテリー電圧を決定する。例えば、アナログ／デジタル（Ａ／Ｄ）コンバータ２２２は、未処理のバッテリー電圧Ｖｉｎの値をサンプリングし、制御モジュール２２４に対してデジタル表示を提供する。下記でより十分に説明されるように、制御モジュール２２４は、動作温度を決定する。例えば、サーミスタ２２８、または他の温度感知デバイスは、制御モジュール２２４に対して、動作温度のインジケーションを提供する。制御モジュール２２４は、現在の動作条件に適切な制御電圧Ｖｃｏｎの値を決定するために、ルックアップテーブルを参照する。一般的には、制御モジュール２２４は、デジタル／アナログコンバータ（Ｄ／Ａ）２３０によってアナログ形式に変換される制御電圧のデジタル表示を生成する。Ｄ／Ａ２３０は、制御モジュール２２４またはＳＭＰＳ２１２のいずれかへと一体化されてもよい、または、スタンドアロンエレメントであってもよい。Ｄ／Ａ２３０は、従来のマルチビットＤ／Ａコンバータ、パルス幅変調フィルタまたは同様なものの形態をとることができる。一実施形態では、コンピュータ可読媒体２３２は、実施されるときに制御モジュール２２４の機能を提供する、プロセッサ２３４によって実施可能であるコードを保存する。
【００２９】
一態様では、ＬＵＴ２２６は、望ましいＲＦ出力電力によってインデクス付けされる、多次元アレイである（制御電圧Ｖｃｏｎの値は望ましいＲＦ出力電力の関数として変わるので、望ましいＲＦ出力電力にしたがってアレイをインデクス付けることはしばしば、名目制御電圧Ｖｃｏｎにしたがってインデクス付けることと同等である）。多次元アレイは、ＲＦ出力信号の望ましい電力、バッテリー電圧、および動作温度にしたがって、名目制御電圧Ｖｃｏｎについての１セットの調整値を保存する。
【００３０】
別の実施形態では、保存されたオフセット調整値は、出力電力と独立しており、調整値は、温度値の範囲、または、未処理のバッテリー電圧、または他のパラメータにしたがってインデクス付けされる単一エントリアレイを保存される。単一エントリアレイフォーマットは、フルの多次元アレイよりも少ないメモリを要するという利点を有する。単一エントリアレイは、しばしば、一次元アレイとも呼ばれる。単一エントリアレイは、一般的には、下記のようなフォーマットを有する：｛ｓｉｎｇｌｅ＿ａｒｒａｙ［Ｘ］｝。対照的に、二次元アレイは、一般的には、下記のようなフォーマットを有する：｛ｍｕｌｔｉ＿ａｒｒａｙ［Ｘ］［Ｙ］｝
一態様では、制御モジュール２２４は、しばしば、また、ＲＦ出力信号Ｐｏｕｔの望ましい電力が変わるときにはいつでも、制御電圧Ｖｃｏｎの値を決定する。ＬＵＴ２２６は、一般的には、不揮発性メモリでインプリメントされる。保存された値は、例えばファクトリテストの間にインプリメントされるようなデバイス特有の較正プロセスの間に決定されることができる、または、多くのデバイス(a large set of devoces)にわたって均一であり得る。
【００３１】
一態様では、電力検出器およびフィルタ２４０は、ＲＦ出力信号Ｐｏｕｔにおける不要周波数成分のサイズ（例えば振幅または電力）を測定するために使用される。測定された値は、制御モジュール２２４に対して結合される。サイズが大きすぎるということを制御モジュール２２４が決定する場合には、ＳＭＰＳ出力電圧Ｖｏｕｔの値を増大させることができる。サイズがかなり小さい場合には、制御モジュール２２４は、より効率的に動作するために、ＳＭＰＳ出力電圧Ｖｏｕｔの値を減らすことができる。そのため、不要周波数成分のサイズは、閉ループの方法で制御されることができる。
【００３２】
図４は、受容レベルで出力スペクトル純度を維持しながら、温度の範囲、ＲＦ出力電力、バッテリー電圧、および同様なものに対する可変のポストレギュレーションシステムにおいて効率的な動作を容易にする、レギュレータ制御電圧の使用を図示する例示的なフローチャートである。ブロック４１０で、ＲＦ出力信号Ｐｏｕｔの現在の望ましい電力についての、制御電圧Ｖｃｏｎの名目値が決定される。例えば、制御モジュール２２４は、おそらくユーザ機器制御モジュールから（図２に図示されず）、望ましい出力電力のインジケーションを受信し、そして、ＬＵＴ２２６で保存されるようなＶｃｏｎの名目（補償されない）値を決定する。
【００３３】
ブロック４１２で、現在の未処理のバッテリー電圧が決定される。例えば、Ａ／Ｄ２２２は、未処理のバッテリー電圧をバッテリー電圧のデジタル表示へと変換し、この値を制御モジュール２２４に対して提供する。
【００３４】
ブロック４１４で、制御モジュール２２４は、現在のバッテリー電圧が制御電圧Ｖｃｏｎの値が調整されるべきしきい値（Ｖｈｉｇｈｂａｔ）を超えるかどうかを決定する。そうである場合には、ブロック４１６で、制御モジュール２２４は、制御電圧Ｖｃｏｎの値が調整されるべきバッテリー調整オフセットを決定するために、ＬＵＴ２２６を参照する。その値は、Ｖｃｏｎの値を調整するために使用される。一実施形態では、調整値は、各インデクス値がバッテリー電圧の有限範囲に対応する、単純な一次元アレイに保存される。制御モジュール２２４は、どのインデクスが現在のバッテリー電圧に対応するかを決定し、アレイから対応する値を抽出し、それを名目値に追加する。
【００３５】
別の実施形態では、バッテリー調整オフセットの値は、望ましいＲＦ出力信号（またはＶｃｏｎの名目値）および温度および他の要素のうちの１つまたは複数の関数である。さらに別の実施形態では、バッテリー調整オフセットの値は、ＲＦ出力電力、温度、およびバッテリー電圧を除いた他の要素の関数である。例えば、ユーザ機器デバイス内の受信機は、ＰＡによって生成された不要周波数成分に対して感度が良い場合がある。したがって、制御モジュール２２４は、受信部(receive section)がＰＡモジュール２１４と同時に動作しているとき、または、受信部が非常に小さい信号を受信しているとき、ＳＭＰＳ出力電圧Ｖｏｕｔの値を増大させることによって相互変調の抑制を増大させることができる。フローはブロック４２２へと進む。
【００３６】
ブロック４１４で、現在のバッテリー電圧がＶｈｉｇｈｂａｔを超えない場合には、フローは、ブロック４１８へ進む。ブロック４１８で、制御モジュール２２４は、現在のバッテリー電圧が制御電圧Ｖｃｏｎの値が調整されるべきしきい値（Ｖｌｏｗｂａｔ）を下回るかどうかを決定する。そうである場合には、ブロック４２０で、制御モジュール２２４は、制御電圧Ｖｃｏｎの値が調整されるべきバッテリー調整オフセットを決定するためにＬＵＴ２２６を参照し、Ｖｃｏｎはそれに応じて調整される。一般的に、同じアレイフォーマットが、ＶｈｉｇｈｂａｔおよびＶｌｏｗｂａｔの補償アレイの両方に対して、使用される。ブロック４１８で、現在のバッテリー電圧がＶｌｏｗｂａｔを下回らない場合には、フローは、ブロック４２２へ進む。一実施形態では、決定ブロック４１４および４１８は、単一決定ブロックにまとめられ、調整ブロック４１６および４２０は、単一のルックアップにまとめられ、動作を調整する。
【００３７】
ブロック４２２で、温度は、ローカル温度感知デバイスによって決定される。例えば、サーミスタ２２８、または他の温度感知デバイスは、動作温度のインジケーションを決定し、それをデジタルフォーマットで制御モジュール２２４に対して提供する。一般的に、ローカル温度感知デバイスは、ＰＡモジュールをサポートしているプリント基盤（ＰＷＢ）の温度を特色づける。
【００３８】
ブロック４２４で、制御モジュール２２４は、現在の温度が制御電圧Ｖｃｏｎの値が調整されるべきしきい値（Ｔｈｉｇｈ）を超えるかどうかを決定する。そうである場合には、ブロック４２６で、制御モジュール２２４は、制御電圧Ｖｃｏｎの値が調整されるべき温度調整オフセットを決定するために、ＬＵＴ２２６を参照する。その値は、Ｖｃｏｎの値を調整するために使用される。一実施形態では、温度調整オフセットの値は、望ましいＲＦ出力信号、未処理のバッテリー電圧、および他の要素のうちの１つまたは複数の関数である。上述されるような同様な方式で、アレイは、一次元または多元でありうる。フローは、ブロック４３２へ進む。
【００３９】
ブロック４２４で現在の温度がＴｈｉｇｈを超えない場合には、フローはブロック４２８へと進む。ブロック４２８で、制御モジュール２２４は、制御電圧Ｖｃｏｎの値が調整されるべきしきい値（Ｔｌｏｗ）より下に現在の温度があるかどうかを決定する。そうである場合には、ブロック４３０で、制御モジュール２２４は、制御電圧Ｖｃｏｎの値が調整されるべき温度調整オフセットを決定するために、ＬＵＴ２２６を参照する。その値は、Ｖｃｏｎの値を調整するために使用される。一般的に、同じアレイフォーマットが、ＴｈｉｇｈおよびＴｌｏｗ補償アレイに対して、使用される。ブロック４２８で、現在の温度がＴｌｏｗを下回らない場合には、フローはブロック４３２へと進む。一実施形態では、決定ブロック４２４および４２８は、単一決定ブロックにまとめられ、調整ブロック４２６および４３０は、単一のルックアップにまとめられ、動作を調整する。
【００４０】
ブロック４３２で、フィールドにおけるユーザ機器デバイスの通常動作の間に、制御電圧Ｖｃｏｎは、新しく決定され調整されたＶｃｏｎ値に、設定される。新しく決定され調整されたＶｃｏｎが以前の値と異なる場合には、Ｖｏｕｔの値は変わる。Ｖｏｕｔの新しい値はＰＡモジュールに対して適用される。上述されるように、Ｖｏｕｔの値は、他の要素と関連して、不要な相互変調積の振幅だけではなく動作の効率にも作用する。
【００４１】
ブロック４４０では、タイマー値が読み取られる。上述されるように、未処理のバッテリー電圧Ｖｉｎと温度は双方とも、時間ともに変化する。具体的には、ＲＦ出力信号Ｐｏｕｔが、延長した時間期間の間、高い値のままである場合、かなり急速に変化する場合がある。したがって、先ほど説明したプロセスは、時間とともに繰り返されなくてはならない。図４で図示された実施形態では、タイマーは、制御電圧Ｖｃｏｎになされた複数更新間の最大時間経過(maximum time lapse)を設定するために使用される。ブロック４４２で、制御モジュール２２４は、タイマーが失効したかどうかを決定する。そうである場合には、フローは、タイマーがリセットされるブロック４４６へと進み、その後で、フローが再び開始するブロック４１０へと進む。
【００４２】
上述されるように、アナログ電力制御電圧Ｖａｐｃに関連してＳＭＰＳ出力電圧Ｖｏｕｔの値は、不要な相互変調積の振幅に影響を与える。したがって、ＲＦ出力信号Ｐｏｕｔの望ましい電力がＶａｐｃにおいて対応する変更をもたらして、変わるとき、ＳＭＰＳ出力電圧Ｖｏｕｔもまた、一般的に変化する。したがって、ブロック４４４で、制御モジュール２２４は、新しい望ましい出力電力が受信されたかどうかを決定する。そうである場合には、タイマーはブロック４４６でリセットされ、フローは、ブロック４１０に戻る。そうでない場合には、フローは、ブロック４４０に戻る。
【００４３】
電力増幅器を含む送信チェインという文脈で、図２、３、および４を参照して説明されているが、ここで説明される原理は、システム雑音を減らすために可変のポストレギュレーションを提供するリニアレギュレータと関連してノイジー電圧レギュレータが使用されるいずれのデバイスに対しても同様な方法で適用されることができる。例えば、不要周波数成分の抑制は、受信チェインにおいても重要である。したがって、同様な技法が、受信チェインにおいて適切な制御電圧Ｖｃｏｎを設定するために使用されることができる。例えば、受信機における１つまたは複数の大きい干渉信号の存在は、受信チェイン内で増大させる不要周波数成分という影響を引き起こす場合がある。ＬＤＯにわたる電圧降下だけではなく、受信チェインの動作電圧を増大させることは、これらの効果を低める可能性がある。したがって、干渉の存在があるとき、受信チェインの動作電圧を調整するために、同様な構成が使用されることができる。さらに、Ｖｏｕｔの値は、レギュレータが電力を供給している１以上の回路の状態の関数であり得る。Ｖｏｕｔの値は、別のソースから電力を受信する回路の状態の関数であり得る。上記で開示された状態に加え、状態は、受信信号レベル、回路が動作している利得、および同様なものだけではなく、回路のオン／オフ状態であってもよい。他の実施形態では、受信機または他の回路は、共通のノイジー電圧レギュレータ(common noisy voltage regulator)、共通リニアレギュレータ、または両方に対して結合されることができる。他の実施形態では、受信機または他の回路は、代替のノイジーレギュレータ、リニアレギュレータ、または両方に対して結合されることができる。
【００４４】
ここで使用されるように、結合されるまたは接続されるという用語は、直接結合または接続だけではなく、間接結合も意味するように使用される。２以上のブロック、デバイス、または装置が結合される場合には、２つの結合されたブロック間に１つまたは複数の介在ブロック(intervening blocks)があってもよい。
【００４５】
ここで開示された実施形態に関連して説明された様々な説明のための論理、論理ブロック、モジュールおよび回路は、汎用プロセッサ、デジタル信号プロセッサ(ＤＳＰ)、縮小命令セットコンピュータ(Reduced Instruction Set Computer)(ＲＩＳＣ)プロセッサ、特定用途向け集積回路(ＡＳＩＣ)、フィールドプログラマブルゲートアレイ(ＦＰＧＡ)あるいは他のプログラマブル論理回路、ディスクリートゲートあるいはトランジスタロジック、ディスクリートハードウェアコンポーネント、あるいは、それらのいずれの組み合わせ、でインプリメントされる、あるいは実行されることができる。汎用プロセッサは、マイクロプロセッサであってもよいが、代替として、プロセッサは、任意のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサの組み合わせ、複数のマイクロプロセッサ、ＤＳＰコアと併用しての１以上のマイクロプロセッサ、あるいはいずれの他のそのような構成のもの、としてインプリメントされることができる。
【００４６】
ここで開示された実施形態に関して説明された方法、プロセス、またはアルゴリズムのステップは、直接ハードウェアにおいて、プロセッサによって実行されるソフトウェアモジュールにおいて、または、それらの２つの組み合わせにおいて、具現化されることができる。方法またはプロセスにおける様々なステップまたは動作は、図示されるような順で実行されることができる、または、別の順で実行されることができる。さらに、１つまたは複数のプロセスあるいは方法のステップが省略されうる、あるいは、１つまたは複数のプロセスまたは方法のステップが方法とプロセスに追加されうる。さらなるステップ、ブロック、または、動作は、方法およびプロセスの存在する構成要素の初め、終わり、または、途中に追加されうる。
【００４７】
開示された実施形態の前述の説明は、当業者が本開示を行うまたは使用することを可能にするために提供される。これらの実施形態に対する様々な修正は、当業者にとっては容易に明らかであろう、そして、ここにおいて定義された包括的な原理は、本開示の精神あるいは範囲から逸脱することなく、他の実施形態に適用されることができる。したがって、本開示は、ここに示された実施形態に限定されるようには意図されておらず、ここに開示された原理および新規な特徴に整合する最も広い範囲が与えられるべきである。
以下に、本願出願の当初の特許請求の範囲に記載された発明を付記する。
［１］
レギュレータ制御電圧入力を有するスイッチングレギュレータと、なお、前記スイッチングレギュレータは、入力電圧を受信するように、そして、前記レギュレータ制御電圧入力に適用された第１の信号に依存している出力電圧を生成するように、構成される；
前記スイッチングレギュレータに結合された、そして、前記出力電圧を受信し時変の動作電圧を生成するように構成されたリニアレギュレータと；
前記リニアレギュレータに結合された、そして、ＲＦ出力電力が前記時変の動作電圧を制御しているＲＦ出力信号を生成するように構成された、電力増幅器と；
動作温度のインジケーションを決定するように構成された温度感知デバイスと；
前記入力電圧を受信するように、また、前記入力電圧のデジタル表示を決定するように、構成されたアナログ／デジタルコンバータと；
前記入力電圧と前記動作温度にしたがって、１セットの調整値を保存しているルックアップテーブルと；
前記入力電圧の前記デジタル表示と前記動作温度の前記インジケーションを受信するように構成された、また、前記入力電圧に基づいて前記第１の信号を決定するように構成された、制御モジュールと、なお、前記動作温度と１セットの調整値は、前記ルックアップテーブルにおいて保存される；
を備えるユーザ機器。
［２］
前記入力電圧を生成するように構成されたバッテリー、をさらに備える［１］に記載のユーザ機器。
［３］
前記ルックアップテーブルは、多次元アレイである、［１］に記載のユーザ機器。
［４］
前記ルックアップテーブルは、少なくとも２つの単一エントリアレイを備え、第１の単一エントリアレイは１セットの前記動作温度の範囲にしたがってインデクス付けされ、第２の単一エントリアレイは１セットの前記入力電圧の範囲にしたがってインデクス付けされる、［１］に記載のユーザ機器。
［５］
バッテリー電圧を決定することと；
動作温度を決定することと；
通常の動作の間に、前記バッテリー電圧と前記動作温度とに基づいて電圧レギュレータ制御設定を決定するために、ルックアップテーブルを参照することと；
非線形電力供給装置に対して前記電圧レギュレータ制御設定を提供することと、なお、前記電圧レギュレータ制御性設定は、前記非線形電力供給装置の出力電圧を調整する；  可変のポストレギュレータに対して前記出力電圧を提供することと；
を備える電力供給管理の方法。
［６］
更新された望ましいＲＦ出力電力のインジケーションを受信することと、
前記更新された望ましいＲＦ出力電力に基づいて、更新された電圧レギュレータ制御設定を決定するために、前記ルックアップテーブルを参照することと、
をさらに備える［５］に記載の電力供給管理の方法。
［７］
電力増幅器の望ましいＲＦ出力電力に基づいて前記可変のポストレギュレータの出力を調整すること、をさらに備える［５］に記載の電力供給管理の方法。
［８］
不要な相互変調積のサイズを測定することと、
前記サイズに基づいて、第２の更新された電圧レギュレータ制御設定を決定することと、
をさらに備える［５］に記載の電力供給管理の方法。
［９］
受信された干渉の電力レベルを測定することと、
前記電力レベルに基づいて、第２の更新された電圧レギュレータを決定することと、  をさらに備える［５］に記載の電力供給管理の方法。
［１０］
第２の回路の状態をモニタすることと、
前記状態に基づいて、第２の更新された電圧レギュレータ制御設定を決定することと、  をさらに備える［５］に記載の電力供給管理の方法。
［１１］
バッテリー電圧を決定するための手段と；
動作温度を決定するための手段と；
通常の動作の間に、前記バッテリー電圧と前記動作温度とに基づいて電圧レギュレータ制御設定を決定するために、ルックアップテーブルを参照するための手段と；
非線形電力供給装置に対して前記電圧レギュレータ制御設定を提供するための手段と、なお、前記電圧レギュレータ制御性設定は、前記非線形電力供給装置の出力電圧を調整する；
可変のポストレギュレータに対して前記出力電圧を提供するための手段と；
を備える１セットの電子回路の効率および性能を制御するデバイス。
［１２］
更新された望ましいＲＦ出力電力のインジケーションを受信するための手段と、
前記更新された望ましいＲＦ出力電力に基づいて、更新された電圧レギュレータ制御設定を決定するために、前記ルックアップテーブルを参照するための手段と、
を備える［１１］に記載の１セットの電子回路の効率および性能を制御するデバイス。
［１３］
電力増幅器の望ましいＲＦ出力電力に基づいて前記可変のポストレギュレータを調整するための手段、を備える［１１］に記載の１セットの電子回路の効率および性能を制御するデバイス。
［１４］
不要な相互変調積のサイズを測定するための手段と、
前記サイズに基づいて、第２の更新された電圧レギュレータ制御設定を決定するための手段と、
を備える［１１］に記載の１セットの電子回路の効率および性能を制御するデバイス。
［１５］
受信された干渉の電力レベルを測定することと、
前記電力レベルに基づいて、第２の更新された電圧レギュレータを決定することと、  を備える［１１］に記載の１セットの電子回路の効率および性能を制御するデバイス。
［１６］
第２の回路の状態をモニタするための手段と、
前記状態に基づいて、第２の更新された電圧レギュレータ制御設定を決定するための手段と、
を備える［１１］に記載の１セットの電子回路の効率および性能を制御するデバイス。
［１７］
無線通信デバイスにおいて実施されるときに前記デバイスの効率および性能の制御を前記デバイスに提供させるコンピュータ可読命令、を備えるコンピュータ可読媒体であって、実施の際には、前記命令は、前記デバイスに、
バッテリー電圧を決定させ；
動作温度を決定させ；
通常の動作の間に、前記バッテリー電圧と前記動作温度とに基づいて電圧レギュレータ制御設定を決定するために、ルックアップテーブルを参照させ；
非線形電力供給装置に対して前記電圧レギュレータ制御設定を提供させ、なお、前記電圧レギュレータ制御性設定は、前記非線形電力供給装置の出力電圧を調整する；
可変のポストレギュレータに対して前記出力電圧を提供させる；
コンピュータ可読媒体。
［１８］
実施の際には、前記命令は、さらに、前記デバイスに、
更新された望ましいＲＦ出力電力のインジケーションを受信させ、
前記更新された望ましいＲＦ出力電力に基づいて、更新された電圧レギュレータ制御設定を決定するために、前記ルックアップテーブルを参照させる、
［１７］に記載のコンピュータ可読媒体。
［１９］
実施の際には、前記命令は、前記デバイスに、さらに、電力増幅器の望ましいＲＦ出力電力に基づいて前記可変のポストレギュレータの出力を調整させる、［１７］に記載のコンピュータ可読媒体。
［２０］
実施の際には、前記命令は、さらに、前記デバイスに、
不要な相互変調積のサイズを測定させ、
前記サイズに基づいて、第２の更新された電圧レギュレータ制御設定を決定させる、  ［１７］に記載のコンピュータ可読媒体。
［２１］
実施の際には、前記命令は、さらに、前記デバイスに、
受信された干渉の電力レベルを測定させ、
前記電力レベルに基づいて、第２の更新された電圧レギュレータを決定させる、
［１７］に記載のコンピュータ可読媒体。
［２２］
実施の際には、前記命令は、さらに、前記デバイスに、
第２の回路の状態をモニタさせ、
前記状態に基づいて、第２の更新された電圧レギュレータ制御設定を決定させる、
［１７］に記載のコンピュータ可読媒体。
【図１】
0005726855.tif 000002
【図２】
0005726855.tif 000003
【図３】
0005726855.tif 000004
【図４】
0005726855.tif 000005